(57)【要約】  この折り返しタブ作成用孔開け器は、シート端部を挿入される挿入口２と、パンチ刃部材２１とを備える。パンチ刃部材２１は、パンチ刃２２を有する。パンチ刃２２により、折り返しタブ８３の外縁を形成する孔８２がそのシート端部において開けられる。ユーザは、この折り返しタブ作成用孔開け器に対して、所望のシート端部を挿入口２に挿入しパンチ刃２２で孔８２を開ける操作をすることで、所望の位置に簡単な操作で折り返しタブ８３を作成することができる。
2013179478.tif 000002
【特許請求の範囲】
【請求項１】
シート端部を挿入される挿入口と、
折り返しタブの外縁を形成する孔を前記シート端部において開けるパンチ刃を有するパンチ刃部材と、
を備えることを特徴とする折り返しタブ作成用孔開け器。
【請求項２】
前記挿入口に挿入された前記シート端部が当接する当接部をさらに備え、
前記当接部から前記当接部に最も近い前記パンチ刃の第１箇所までの距離が、前記第１箇所から前記当接部に最も遠い前記パンチ刃の第２箇所までの距離より短いこと、
を特徴とする請求項１記載の折り返しタブ作成用孔開け器。
【請求項３】
前記当接部から前記パンチ刃の刃先の両端の位置までの距離が同一であることを特徴とする請求項２記載の折り返しタブ作成用孔開け器。
【請求項４】
前記パンチ刃の刃先は、幅を有する線状とされ、前記パンチ刃の刃先の両端は、前記幅より大きい直径の円状とされることを特徴とする請求項１記載の折り返しタブ作成用孔開け器。
【請求項５】
前記折り返しタブは、前記折り返しタブの外縁の両端から等距離の直線に対して線対称ではない形状を有することを特徴とする請求項１記載の折り返しタブ作成用孔開け器。
【請求項６】
前記パンチ刃のためのガイド孔であって前記シート端部の配置面に対して垂直なガイド孔を有するガイド部材と、
前記パンチ刃部材に接触するボタン部材と、
前記ガイド部材と前記パンチ刃部材との間に配置されたバネと、
をさらに備えることを特徴とする請求項１から請求項５のうちのいずれか１項記載の折り返しタブ作成用孔開け器。
【発明の詳細な説明】
【技術分野】
【０００１】
本発明は、折り返しタブ作成用孔開け器に関するものである。
【背景技術】
【０００２】
書籍、雑誌、ノート、手帳などのシートにＵ字形等の切れ込みを設け、その切れ込みの内側部分を折り返すことで見出しタブとする技術が提案されている（例えば特許文献１参照）。
【先行技術文献】
【特許文献】
【０００３】
【特許文献１】実開平６−５９０６７号公報
【発明の概要】
【発明が解決しようとする課題】
【０００４】
しかしながら、ユーザが購入する前に予め、書籍、雑誌、ノート、手帳などに切れ込みを入れておくと折り返しタブの位置が固定されてしまい、ユーザが所望する位置で折り返しタブを使用することは困難である。また、ユーザがナイフなどでシート（例えば書籍、雑誌、ノート、手帳などにおける１枚の紙）にこのような切れ込みを作成することも困難である。【０００５】
さらに、上述のように切れ込みで折り返しタブを形成すると、切れ込みの両端からシートが切れ易く、ユーザが折り返しタブを折り返して使用する際にシートを破損してしまう可能性がある。【０００６】
本発明は、上記の問題に鑑みてなされたものであり、ユーザが所望の位置に簡単な操作で折り返しタブを作成することができる折り返しタブ作成用孔開け器を得ることを目的とする。
【課題を解決するための手段】
【０００７】
上記の課題を解決するために、本発明では以下のようにした。【０００８】
本発明に係る折り返しタブ作成用孔開け器は、シート端部を挿入される挿入口と、折り返しタブの外縁を形成する孔をそのシート端部において開けるパンチ刃を有するパンチ刃部材とを備える。これにより、ユーザは所望のシート端部を挿入口に挿入しパンチ刃で孔を開ける操作をすることで、所望の位置に簡単な操作で折り返しタブを作成することができる。【０００９】
また、本発明に係る折り返しタブ作成用孔開け器は、上記の折り返しタブ作成用孔開け器に加え、次のようにしてもよい。この場合、折り返しタブ作成用孔開け器は、挿入口に挿入されたシート端部が当接する当接部をさらに備える。そして、当接部から当接部に最も近いパンチ刃の第１箇所までの距離が、第１箇所から当接部に最も遠いパンチ刃の第２箇所までの距離より短い。これにより、折り返しタブを折り返したときに、折り返しタブの先端が必ずシート端部より外側に突出する。【００１０】
また、本発明に係る折り返しタブ作成用孔開け器は、上記の折り返しタブ作成用孔開け器に加え、次のようにしてもよい。この場合、当接部からパンチ刃の刃先の両端の位置までの距離が同一である。これにより、折り返しタブを折り返したときに、シート端部から垂直に折り返しタブが突出する。【００１１】
また、本発明に係る折り返しタブ作成用孔開け器は、上記の折り返しタブ作成用孔開け器に加え、次のようにしてもよい。この場合、パンチ刃の刃先は、幅を有する線状とされ、パンチ刃の刃先の両端は、その幅より大きい直径の円状とされる。これにより、折り返しタブの外縁を形成する孔の端部から、シートが切れにくくなる。【００１２】
また、本発明に係る折り返しタブ作成用孔開け器は、上記の折り返しタブ作成用孔開け器に加え、次のようにしてもよい。この場合、この折り返しタブは、折り返しタブの外縁の両端から等距離の直線に対して線対称ではない形状を有する。これにより、ユーザは、シート端部を挿入する際のシート端部の面の向き（表面か裏面か）を変えることで、２種類の形状の折り返しタブを作成することができる。【００１３】
また、本発明に係る折り返しタブ作成用孔開け器は、上記の折り返しタブ作成用孔開け器に加え、次のようにしてもよい。この場合、折り返しタブ作成用孔開け器は、パンチ刃のためのガイド孔であってシート端部の配置面に対して垂直なガイド孔を有するガイド部材と、パンチ刃部材に接触するボタン部材と、ガイド部材とパンチ刃部材との間に配置されたバネとをさらに備える。これにより、ユーザは、ボタン部材をガイド部材の方向へ押し込むことで簡単に折り返しタブを作成することができる。
【発明の効果】
【００１４】
本発明によれば、ユーザが所望の位置に簡単な操作で折り返しタブを作成することができる折り返しタブ作成用孔開け器を得ることができる。
【図面の簡単な説明】
【００１５】
【図１】図１は、本発明の実施の形態に係る折り返しタブ作成用孔開け器を示す斜視図である。
【図２】図２は、図１に示す折り返しタブ作成用孔開け器の底面図である。
【図３】図３は、図１に示す折り返しタブ作成用孔開け器の断面図である。
【図４】図４は、図１から図３に示す折り返しタブ作成用孔開け器におけるパンチ刃とガイド孔を示す斜視図である。
【図５】図５は、図１に示す折り返しタブ作成用孔開け器により作成された折り返しタブの一例を示す図である。
【図６】図６は、図４に示す折り返しタブを折り返したときの状態を示す図である。
【図７】図７は、非対称の折り返しタブの一例を示す図である。
【発明を実施するための形態】
【００１６】
以下、図に基づいて本発明の実施の形態を説明する。
【００１７】
図１は、本発明の実施の形態に係る折り返しタブ作成用孔開け器を示す斜視図である。図２は、図１に示す折り返しタブ作成用孔開け器の底面図である。図３は、図２におけるＡ−Ａ線での、図１に示す折り返しタブ作成用孔開け器の断面図である。図４は、図１から図３に示す折り返しタブ作成用孔開け器におけるパンチ刃２２とガイド孔１２を示す斜視図である。
【００１８】
図１に示すように、折り返しタブ作成用孔開け器の筐体１の側面に、書籍、雑誌、ノートなどのシート端部を挿入する挿入口２が形成されており、筐体１の上面の孔に、上下に移動可能にボタン部材３が配置されている。
【００１９】
図２および図３に示すように、筐体１内には、ガイド部材１１とパンチ刃部材２１とが配置されており、ガイド部材１１のガイド孔１２に沿って、パンチ刃部材２１のパンチ刃２２が移動する。
【００２０】
パンチ刃２２の刃先は、折り返しタブの外縁を形成する孔の形状と同形状とされる。折り返しタブの一部はシートから切り離されずにシートに繋がっており、その孔により形成される外縁をシートから起こして折り返すことで、例えば見出しタブとして機能する。また、図４に示すように、ガイド孔１２は、挿入口２の配置面１３に対して垂直に、パンチ刃２２と略同形状で形成されている。
【００２１】
図３に示すように、パンチ刃部材２１は、パンチ刃部材２１とガイド部材１１との間に配置されたバネ３１によって上方に付勢されている。ボタン部材３は、パンチ刃部材２１の上面に接触しており、ボタン部材３のフランジ部分がパンチ刃部材２１と筐体１との間に配置され、筐体１から外れないように係止されている。
【００２２】
また、図３に示すように、ガイド部材１１には、挿入口２を形成する隙間が形成されており、挿入口２の終端には、挿入口２に挿入されたシート端部が当接する当接部１４が形成されている。当接部１４は、配置面１３に垂直な平面とされている。
【００２３】
パンチ刃２２の刃先形状は、パンチ刃２２の刃先が配置面１３に位置するときに、当接部１４から当接部１４に最も近いパンチ刃２２の第１箇所までの距離Ｌ２が第１箇所から当接部１４に最も遠いパンチ刃２２の第２箇所までの距離Ｌ１より短くなるように成形される。これにより、折り返しタブを折り返したときに、折り返しタブの先端が必ずシート端部より外側に突出する。
【００２４】
また、当接部１４からパンチ刃２２の刃先の両端の位置までの距離が同一である（ここでは、Ｌ２）。これにより、折り返しタブを折り返したときに、シート端部から垂直に折り返しタブが突出する。
【００２５】
また、この実施の形態では、パンチ刃２２の刃先は、幅を有する線状とされ、パンチ刃の刃先の両端は、その幅より大きい直径の円状とされる。これにより、折り返しタブの外縁を形成する孔の端部から、シートが切れにくくなる。
【００２６】
次に、上記折り返しタブ作成用孔開け器による折り返しタブの作成について説明する。
【００２７】
ユーザは、所望のシートの端部を挿入口２に挿入し、当接部１４に当接させる。その状態で、ユーザがボタン部材３を筐体１に向って押し込むことで、パンチ刃２２の刃先がガイド孔１２に沿って進行していき、パンチ刃２２の刃先がガイド部材１１の配置面１３を通過するときに、パンチ刃２２の刃先で、配置面１３に配置されたシート端部に、パンチ刃２２の刃先と同形状の孔が形成される。つまり、パンチ刃２２の刃先と、配置面１３上のガイド孔１２の先端とによるせん断力でパンチ刃２２およびガイド孔１２の先端形状と同形状のシート片がシート端部から切り取られて、孔が形成される。
【００２８】
図５は、図１に示す折り返しタブ作成用孔開け器により作成された折り返しタブの一例を示す図である。図６は、図５に示す折り返しタブを折り返したときの状態を示す図である。
【００２９】
上述のパンチ刃２２により図５に示すシート８１の端部に孔８２が開けられ、その孔８２が外縁となる折り返しタブ８３が作成されている。孔８２の両端は、角のない曲線形状で終端されている。そして、シート端から孔８２の両端までの距離は上述のＬ２となり、孔８２の両端から折り返しタブ８３の先端までの距離は上述のＬ１となる。したがって、図６に示すように、折り返しタブ８３を、孔８２の両端を通る直線に沿って折り返すと、シート端から折り返しタブ８３が突出する。
【００３０】
なお、図５に示す折り返しタブ８３は線対称な形状を有しているが、折り返しタブの形状を線対称ではない形状としてもよい。つまり、その場合、パンチ刃２２およびガイド孔１２の先端形状を、線対称ではない形状とする。図７は、非対称の折り返しタブの一例を示す図である。図７に示す折り返しタブは、屈曲した矢印の形状を有している。図７（Ａ）に示すように、折り返しタブ９１は、直線Ｌに対して非対称である。直線Ｌは、折り返しタブ９１の外縁を形成する孔９３の両端から等距離にある直線である。図７（Ａ）における折り返しタブ９１は、シート９２の表（おもて）面から裏面へパンチ刃を移動させて孔９３を形成した場合のものであり、図７（Ｂ）における折り返しタブ９４は、シート９５の裏面から表面へパンチ刃を移動させて孔９６を形成した場合のものである。このように折り返しタブを非対称なものとすると、２種類の形状の折り返しタブを作成することができる。そして、例えば、図７（Ｃ）に示すように、その２種類の形状の折り返しタブを使用して、書籍、雑誌などでページ範囲（折り返しタブ９１のページから折り返しタブ９４のページまで）を示すことができる。
【００３１】
以上のように、上記実施の形態によれば、この折り返しタブ作成用孔開け器は、シート端部を挿入される挿入口２と、折り返しタブ８３の外縁を形成する孔８２をそのシート端部において開けるパンチ刃２２を有するパンチ刃部材２１とを備える。これにより、ユーザは所望のシート端部を挿入口２に挿入しパンチ刃２２で孔８２を開ける操作をすることで、所望の位置に簡単な操作で折り返しタブ８３を作成することができる。
【００３２】
なお、上述の実施の形態は、本発明の好適な例であるが、本発明は、これらに限定されるものではなく、本発明の要旨を逸脱しない範囲において、種々の変形、変更が可能である。
【００３３】
例えば、上記実施の形態において、当接部１４を幅方向の中央において直角に屈曲させ、シート端部の隅が当接部１４の中央屈曲部に配置されるようにしてもよい。そのようにすることで、シート端部の隅から斜めに折り返しタブを作成することができる。
【００３４】
また、上記実施の形態において、折り返しタブの形状は、上述のもの（図４および図７）に限定されるものではなく、所望の形状とすることができる。例えば、折り返しタブの形状を手のかたち（グー、チョキ、パー、指差しなど）、花の形状、動物の形状などとしてもよい。
【００３５】
また、上記実施の形態において、１枚ずつシートを取り外し可能な冊子状の付箋帳、メモ帳などから取り外されたシートに、上記実施の形態による折り返しタブ作成用孔開け器で、折り返しタブを作成することも可能である。その場合、シートに作成された折り返しタブを１８０度折り返さずに、シートに対して折り返しタブを直立させて使用することも可能である。
【産業上の利用可能性】
【００３６】
本発明は、例えば、ユーザによる見出しタブの作成に適用可能である。
【符号の説明】
【００３７】
２  挿入口
３  ボタン部材
１１  ガイド部材
１２  ガイド孔
１３  配置面
１４  当接部
２１  パンチ刃部材
２２  パンチ刃
３１  バネ
８２，９３，９６  孔
８３，９１，９４  折り返しタブ
【図１】
2013179478.tif 000003
【図２】
2013179478.tif 000004
【図３】
2013179478.tif 000005
【図４】
2013179478.tif 000006
【図５】
2013179478.tif 000007
【図６】
2013179478.tif 000008
【図７】
2013179478.tif 000009
【国際調査報告】
2013179478.tif 000010
2013179478.tif 000011
2013179478.tif 000012
2013179478.tif 000013